(57)【要約】【課題】  本発明は、ケーブルが周囲に干渉することを防止できるケーブル支持装置を提供する。【解決手段】  ケーブル支持装置９０は、ケーブル７０を折りたたんだ状態で収容可能な収容空間が内部に設けられるロッド９１と、ロッド９１に形成されて、ロッド９１の内外を連通してケーブル７０を通す取り出し孔部９８とを有している。【選択図】図１
2015116048.tif 000002
【特許請求の範囲】
【請求項１】
ケーブルを支持するケーブル支持装置であって、
前記ケーブルを折りたたんだ状態で収容可能な収容空間が内部に設けられる収容部と、
前記収容部に形成されて、前記収容部の内外を連通して前記ケーブルを通す取り出し孔部と
を具備することを特徴とするケーブル支持装置。
【請求項２】
前記取り出し孔部は、前記取り出し孔部の内周縁と前記ケーブルとの間に前記ケーブル回りに一周連続する隙間を有する大きさを有する
ことを特徴とする請求項１に記載ケーブル支持装置。
【請求項３】
前記ケーブルにおいて前記取り出し孔部を通って外部に出る部分の一端から所定の長さ位置に設けられて前記ケーブルを前記取り出し孔部に固定する固定部を具備することを特徴とする請求項１または２に記載のケーブル支持装置。
【請求項４】
前記固定部は、前記ケーブルにおいて前記取り出し孔部を挟んで前記収容部内となる位置に設けられる抜け防止部と、前記ケーブルにおいて前記取り出し孔部を挟んで前記収容部外となる位置に設けられる進入防止部とを具備し、
前記抜け防止部と前記進入防止部とは、前記ケーブルが前記所定位置から移動すると前記取り出し孔部の縁部に接触する大きさを有している
ことを特徴とする請求項３に記載のケーブル支持装置。
【請求項５】
前記取り出し孔部は、１つ以上形成される
ことを特徴とする請求項１〜４のうちのいずれか１項に記載のケーブル支持装置。
【請求項６】
前記収容部は、ロッド状であり、
前記取り出し孔部は、前記収容部の延びる方向に沿って複数形成される
ことを特徴とする請求項１〜４のうちのいずれか１項に記載のケーブル支持装置。
【請求項７】
前記取り出し孔部は、３つ以上形成され、
前記複数の取り出し孔部の間隔は、等間隔に設定される
ことを特徴とする請求項６に記載のケーブル支持装置。
【請求項８】
前記収容部を被固定部に固定する固定装置であって、前記被固定部に対する前記収容部の位置を、前記収容部の延びる方向に沿って調整可能な固定装置を具備する
ことを特徴とする請求項６または７に記載のケーブル支持装置。
【請求項９】
ポンプ部と、
前記ポンプ部を駆動する駆動部と、
前記駆動部を制御する制御部と、
フロートスイッチと、
前記フロートスイッチと前記制御部とに接続されて、前記フロートスイッチの出力信号を前記制御部に送信可能なケーブルと、
前記ケーブルを支持するケーブル支持装置であって、前記ケーブルを折りたたんだ状態で収容可能な収容空間が内部に設けられる収容部と、前記収容部に形成されて、前記収容部の内外を連通して前記ケーブルを通す取り出し孔部とを備えるケーブル支持装置と
を具備することを特徴とする水中ポンプ装置。
【発明の詳細な説明】
【技術分野】
【０００１】
本発明は、例えば、水位の変動に応じて起動及び停止を制御するフロートスイッチが設けられる水中ポンプ装置のケーブルを支持するケーブル支持装置と、例えば、水位の変動に応じて起動及び停止を制御するフロートスイッチが設けられる水中ポンプ装置のケーブルを支持するケーブル支持装置を有する水中ポンプ装置に関する。
【背景技術】
【０００２】
水位の変動に応じて起動及び停止を制御するためのフロートスイッチを有する水中ポンプ装置が提案されている。このような水中ポンプ装置では、フロートスイッチと、ポンプ装置内に設けられる制御器とがケーブルによって接続されている。
【０００３】
フロートスイッチは、水面上に浮いており、水位が所定の高さになると、オン状態になる。フロートスイッチがオン状態になると、その信号が、ケーブルを介して制御器に伝達される。制御器は、フロートスイッチがオン状態になったという信号を受信すると、水中ポンプ装置のモータの駆動を開始する。
【０００４】
この種の水中ポンプ装置では、ケーブルは、ポンプ部側に固定されるロッドに設けられる一対の挟持部材間に挟持されることによって、その位置が固定されている。ロッドは、上下方向に延びている。ロッドに対する挟持部材の位置を調整することによって、フロートスイッチがオン状態となる水位を調整することができる（例えば、特許文献１参照。）。オン状態となる水位を調整可能にするため、ケーブルは、予め長いものが用いられる。
【先行技術文献】
【特許文献】
【０００５】
【特許文献１】実開平７−２５２８２号公報
【発明の概要】
【発明が解決しようとする課題】
【０００６】
上述した、ケーブルがロッドに固定される水中ポンプ装置では、以下の問題があった。即ち、フロートスイッチの位置を調整可能とするために、ケーブルにおいてロッドに固定される部分と制御器の間の部分が長くなる傾向にある。
【０００７】
ケーブルにおいて制御器とロッドに固定される部分の間が長くなることによって、この部分がフロートスイッチに絡まるなどして接触する虞がある。また、複数のフロートスイッチを有する構造であると、これら複数のフロートスイッチに対応して複数のケーブルが用いられることになる。この場合、フロートスイッチは上下方向に互いに並ぶように配置されるため、例えば相対的に上方に配置されるフロートスイッチに接続されるケーブルが、下方に配置されるフロートスイッチに接触する虞がある。
【０００８】
このように、ケーブルにおいて例えば調整代として利用される部分のように、長くなる傾向にある部分が周囲に干渉する虞がある。ケーブルがフロートスイッチに干渉することによって、フロートスイッチが水位に応じて移動しづらくなる。つまり、フロートスイッチが正常に動作しなくなる虞がある。
【０００９】
そこで本発明は、ケーブルが周囲に干渉することを防止できるケーブル支持装置を提供することを目的とする。
【課題を解決するための手段】
【００１０】
前記課題を解決し目的を達成するために、本発明のケーブル支持装置は、次のように構成されている。
【００１１】
本発明の一態様に係るケーブル支持装置は、ケーブルを折りたたんだ状態で収容可能な収容空間が内部に設けられる収容部と、前記収容部に形成されて、前記収容部の内外を連通して前記ケーブルを通す取り出し孔部とを有する。
【発明の効果】
【００１２】
本発明によれば、ケーブルが周囲に干渉することを防止できるケーブル支持装置を提供できる。
【図面の簡単な説明】
【００１３】
【図１】本発明の一実施形態に係るケーブル支持装置を有する水中ポンプ装置を、一部切欠して示す正面図。
【図２】図１に示す範囲Ｆ２を拡大して示す正面図。
【発明を実施するための形態】
【００１４】
本発明の一実施形態に係るケーブル支持装置を、図１,２を用いて説明する。図１は、本実施形態のケーブル支持装置９０を有する装置の一例である、水中ポンプ装置１０を示す正面図である。図１では、水中ポンプ装置１０の一部は、切り欠かれた状態が示されている。
【００１５】
図１に示すように、水中ポンプ装置１０は、モータ（駆動部）２０と、電源ケーブル３０と、軸封装置４０と、ポンプ部５０と、フロートスイッチ６０と、ケーブル７０と、制御装置（制御部）８０と、ケーブル支持装置９０とを有している。
【００１６】
モータ２０は、モータケーシング２１と、モータケーシング２１内に収容される固定子２２と、固定子２２内に収容される回転子２３と、回転子２３に固定される回転軸２４とを有している。電源ケーブル３０は、外部電源とモータ２０とに電気的に接続されており、外部電源からモータ２０に電力を供給可能に形成されている。モータケーシング２１は、両端が閉塞する円筒形状に形成されている。モータケーシング２１の一端は、後述される軸封装置４０に固定されている。
【００１７】
固定子２２は、モータケーシング２１の内面に固定されている。回転子２３は、固定子の内側に収容されている。回転子２３は、固定子２２に対して回転可能に形成されている。固定子２２は、電源ケーブル３０を介して供給された電力により、回転子２３を回転可能に形成されている。
【００１８】
回転軸２４は、回転子２３に固定されており、回転子２３と一体に回転可能に形成されている。回転軸２４は、回転子２３の回転軸線上に配置されている。回転軸２４は、モータケーシング２１の一端側から突出し、且つ、モータケーシング２１にベアリング等の軸受を介して回転自在に軸支されている。
【００１９】
軸封装置４０は、シールケーシング４１と、シールケーシング４１内に収容されるメカニカルシール４２とを有している。軸封装置４０は、モータ２０と後術するポンプ部５０との間を液密に仕切ることが可能に形成されている。
【００２０】
シールケーシング４１は、内部にメカニカルシール４２を収納可能に形成されているとともに、油室４３が設けられている。また、シールケーシング４１は、両端が閉塞する円筒状に形成され、その両端面に回転軸２４を挿通する挿通孔が形成されている。油室４３は、メカニカルシール４２の潤滑油を充満可能に形成されている。
【００２１】
メカニカルシール４２は、シールケーシング４１と回転軸２４との間を密閉することで、ポンプ部５０からの水の浸入及びモータ２０への潤滑油の浸入を防止可能に形成されている。
【００２２】
ポンプ部５０は、ポンプケーシング５１と、ポンプケーシング５１内に収容される羽根車５２とを有している。ポンプケーシング５１は、内部にポンプ室５７が設けられている。ポンプケーシング５１には、羽根車５２を回動可能に支持する支持部５３が設けられている。支持部５３には、回転軸２４が挿通する挿通孔が形成されている。
【００２３】
ポンプケーシング５１の下部には、水中ポンプ装置１０を据付面に据付ける複数の脚部５４が設けられている。ポンプケーシング５１において脚部５４間には、吸込開口５５が形成されている。ポンプケーシング５１の側面には、吐出開口５６が形成されている。
【００２４】
羽根車５２は、回転軸２４の先端部に一体に固定されており、回転軸２４と一体に回転可能に形成されている。羽根車５２は、ポンプ室５７内に配置されている。
【００２５】
フロートスイッチ６０は、一対用いられる。ケーブル７０は、各フロートスイッチ６０に対して１つずつ用いられている。このため、本実施形態では、ケーブル７０は、２本用いられる。各フロートスイッチ６０は、ケーブル７０によって、後述される制御装置８０に電気的に接続されている。制御装置８０は、モータケーシング２１の上端部に固定されている。このため、各ケーブル７０は、水中ポンプ装置１０の上端部から外部に取り出されている。両ケーブル７０の長さは、後で具体的に説明する。
【００２６】
各フロートスイッチ６０は、互いに同じ構造である。フロートスイッチ６０は、水中ポンプ装置１０が設置されている場所の周囲に満たされる液面上に浮くように形成されている。本実施形態では、水中ポンプ装置１０は、水をくみ上げることが可能に形成されており、液の一例は、水である。
【００２７】
フロートスイッチ６０は、水位に応じて姿勢を変化するとともに、その姿勢の変化に応じてオン状態、または、オフ状態となるように形成されている。言い換えると、フロートスイッチ６０は、水位に応じて、オン状態またはオフ状態となるように形成されている。
【００２８】
ケーブル支持装置９０は、両ケーブル７０を、モータケーシング２１側に支持可能に形成されている。ケーブル支持装置９０は、ロッド（収容部）９１と、取り付け孔部９８と、固定装置９３と、抜け防止部９４と、進入防止部９５とを有している。
【００２９】
ロッド９１は、円筒状に形成されており、内部にケーブル７０を折りたたんだ状態で収容可能に形成されている。図１では、ケーブル７０が折りたたまれた状態でロッド９１内に収容された状態が示されている。本実施形態では、一例として、ロッド９１は、ケーブル７０を２回折り畳むことによってケーブル７０の３箇所の部分が互いに重なった状態であっても、この重なった部分を収容可能な大きさを有している。ここで、３箇所の部分が重なった状態をわかりやすくするために、３箇所のそれぞれに符号７１,７２,７３を付す。
【００３０】
また、ロッド９１は、複数に分解可能に形成されている。言い換えると、ロッド９１は、複数の部材が組み合わさって形成されている。本実施形態では一例として、ロッド９１は、２つの部材から形成されている。
【００３１】
本実施形態では、ロッド９１は、ロッド９１の軸線を通る平面に沿って２つの部分に分解可能に形成されている。言い換えると、ロッド９１は、ロッド９１の端面を２つの半円形状の部分に分けるように、分解可能に形成されている。一方を第１の部材９６とし、他方を第２の部材９７とする。第１の部材９６の側端面と第２の部材９７の側端面とが互いに接触した状態で、第１の部材９６と第２の部材９７とは固定されている。
【００３２】
図１では、ロッド９１は、中腹部から下端にかけて、第２の部材９７が切り欠かれてロッド９１の内部が見える状態で示されている。本実施形態では、ロッド９１において手前に配置される部分が第２の部材９７によって形成され、奥側の部分が第１の部材９６によって形成されている。
【００３３】
第１の部材９６と第２の部材９７は、固定構造によって、離脱可能に固定されている。この固定構造の一例としては、例えば、第１の部材９６と第２の部材９７の互いに面接触する側面の一方に形成される複数の突部と、他方に形成されてこの突部が嵌合可能な複数の凹部とを有している。突部を凹部に嵌合することによって、第１の部材９６と第２の部材９７を互いに固定することができる。さらに、突部を凹部から離脱することによって、第１の部材９６と第２の部材９７を互いに分離することができる。
【００３４】
ロッド９１には、３つ以上の取り出し孔部９８が形成されている。本実施形態では、一例として、６個形成されている。これら複数の取り出し孔部９８は、ロッド９１の延びる方向に沿って並んでいる。取り出し孔部９８は、互いに等間隔離間して配置されている。
【００３５】
各取り出し孔部９８は、ケーブル７０を挿通可能に形成されている。図２は、図１に示す範囲Ｆ２を示している。図２は、第２の部材９７が取り外された状態を示している。図２に示すように、取り出し孔部９８は、ケーブル７０よりも大きく形成されている。より具体的には、取り出し孔部９８は、その内周縁１１０がケーブル７０の接触することがないように内側にケーブル７０を配置可能な大きさを有している。
【００３６】
本実施形態では、一例として、ケーブル７０の断面形状は、円であり、取り出し孔部９８の形状も円である。取り出し孔部９８の内径は、ケーブル７０の断面の外径よりも大きい。
【００３７】
なお、図２では、ケーブル７０は、フロートスイッチ６０の重さとケーブル７０自体の重さによって、取り出し孔部９８内で下方に下がった状態になっているため、ケーブル７０と、内周縁１１０の下端部とが接触している状態が示されている。
【００３８】
取り出し孔部９８は、第１の部材９６の側端面に形成される凹形状の第１の部分９９と、第２の部材９７の側端面に形成される凹形状の第２の部分１００とが互いに組み合わさることによって、形成されている。
【００３９】
また、図１に示すように、ロッド９１の一端部において取り出し孔部９８に対してロッド９１の軸線を挟んで反対側には、ケーブル７０を挿通可能な挿通孔部１０１が形成されている。挿通孔部１０１は、２つ形成されている。各挿通孔部１０１は、ロッド９１の延びる方向に沿って並んで配置されている。
【００４０】
各挿通孔部１０１は、ケーブル７０よりも大きく形成されており、例えば、取り出し孔部９８と同様に形成されている。つまり、各挿通孔部１０１は、第１の部材９６と第２の部材９７の側端面のそれぞれに凹形状に形成される第１の部分９９と第２の部分１０とが組み合わさることによって形成されている。
【００４１】
固定装置９３は、ロッド９１をモータケーシング２１側に固定可能に形成されている。本実施形態では、一例として、固定装置９３は、ロッド９１を、モータケーシング（被固定部）２１に、ロッド９１に延びる方向が上下方向に平行になるよう固定するとともに、モータケーシング２１に対するロッド９１の位置を上下方向に調整可能に形成されている。
【００４２】
具体的には、固定装置９３は、モータケーシング２１に固定される環状部材１０２と、ボルト１０３とを有している。図１中では、環状部材１０２は、その軸線を通る平面に沿って切り欠かれた状態が示されている。環状部材１０２は、その両端開口が上下方向に向いており、内部にロッド９１を挿通可能に形成されている。環状部材１０２には、ねじ孔１０４が形成されている。ねじ孔１０４は、環状部材１０２を貫通している。ボルト１０３は、ねじ孔１０４に螺合可能に形成されている。
【００４３】
図２に示すように、抜け防止部（固定部）９４と、進入防止部（固定部）９５とは、ケーブル７０に対して移動しないように、ケーブル７０に固定されている。本実施形態では、一例として、抜け防止部９４と進入防止部９５とは、ケーブル７０において内部に金属素線部材７６を収容する覆い部７５と一体に形成されている。覆い部７５は、絶縁部材であって、一例として樹脂製である。抜け防止部９４と進入防止部９５とは、覆い部７５を形成する際に、一体に形成されている。
【００４４】
抜け防止部９４は、ケーブル７０に沿って、進入防止部９５に対して制御装置８０側に配置されている。抜け防止部９４は、ケーブル７０に対して径方向外側に突出しており、かつ、取り出し孔部９８よりも大きく形成されている。ここで言う大きく形成されているとは、ケーブル７０が取り出し孔部９８から抜け出る方向に移動すると、取り出し孔部９８の縁部に接触する大きさである。本実施形態では、抜け防止部９４は、ケーブル７０に沿って見た形状が、ケーブル７０の軸線を中心とする円であり、その外径は、取り出し孔部９８の内径よりも大きい。
【００４５】
進入防止部９５は、ケーブル７０において抜け防止部９４に対してフロートスイッチ６０側に配置されている。進入防止部９５は、ケーブル７０に対して径方向外側に突出しており、かつ、取り出し孔部９８よりも大きく形成されている。ここで言う大きく形成されているとは、ケーブル７０が取り出し孔部９８を通ってロッド９１内に入り込む方向に移動すると、取り出し孔部９８の縁部に接触する大きさである。本実施形態では、進入防止部９５は、ケーブル７０に沿って見た形状が、ケーブル７０の軸線を中心とする円であり、その外径は、取り出し孔部９８の内径よりも大きい。
【００４６】
抜け防止部９４と進入防止部９５との間の距離は、ロッド９１の周壁部１０５の厚みと同じである、または、周壁部１０５の厚みよりも若干大きく設定されている。
【００４７】
各ケーブル７０の長さは、ケーブル７０の固定先となる取り付け孔部９８を任意に選択可能な長さを有している。より具体的には、各ケーブルにおいてモータケーシング２１から抜け防止部９４までの長さは、固定先となる取り付け孔部９８を任意に選択可能できるように十分な長さを有している。
【００４８】
このように構成される水中ポンプ装置１０では、各フロートスイッチ６０は、液面に浮くとともに、水位の変動に応じてフロートスイッチ６０の姿勢が変化することによって、オン状態となる。フロートスイッチ６０は、水位が、水中ポンプ装置１０が起動する水位となるとオン状態となるように、その高さ位置が調整されている。
【００４９】
このため、水位が、水中ポンプ装置１０が起動する水位となるとフロートスイッチ６０がオン状態となり、その信号がケーブル７０を介して制御装置８０に送信される。制御装置８０は、フロートスイッチ６０がオン状態となると、モータ２０を駆動し、ポンプ部５０によって水をくみ上げる。
【００５０】
水位が下がってフロートスイッチ６０がオフ状態となる、言い換えると、フロートスイッチ６０からオン信号が送信されない状態になると、制御装置８０は、モータ２０の駆動を停止する。
【００５１】
次に、ケーブル７０をケーブル支持装置９０によってモータケーシング２１に支持する作業の一例を説明する。まず、ロッド９１を固定装置９３から取り外す。次に、ロッド９１の第１の部材９６と第２の部材９７を分離する。
【００５２】
次に、一方のケーブル７０の抜け防止部９４と進入防止部９５との間の部分を、第１の部材９６の所望の取り出し孔部９８の第１の部分９９に係合する。このとき、抜け防止部９４をロッド９１の内側に配置し、進入防止部９５をロッド９１の外側に配置する。抜け防止部９４と進入防止部９５とによって、ロッド９１の周壁部１０５が挟持されるので、ケーブル７０を第１の部分９９に簡単に固定することができる。次に、他方のケーブル７０も一方のケーブル７０と同様に、第１の部分９９に固定する。
【００５３】
次に、両ケーブル７０においてモータケーシング２１側の部分を、挿通孔部１０１の第１の部分９９に形成される部分に通す。このとき、図１に示すように、ケーブル７０において、挿通孔部１０１とモータケーシング２１との間の部分の長さを、その部分が周囲と干渉することがないように調整する。ケーブル７０において取り出し孔部９８と挿通孔部１０１との間の部分を、図１に示すように、折り畳んでロッド９１内に収容することによって、ケーブル７０においてモータケーシング２１と挿通孔部１０１との間の部分の長さを調整することができる。
【００５４】
次に、第１の部材９６に第２の部材９７を固定する。このとき、第２の部材９７の第２の部分１００にケーブル７０が収容されるように、第１の部材９６と第２の部材９７の姿勢を合わせる。
【００５５】
次に、一体に固定されたロッド９１を、固定装置９３によって、モータケーシング２１に固定する。具体的には、ボルト１０３を緩めることによってボルト１０３の先端の位置を後退させる。このことによって、ロッド９１を環状部材１０２内に挿入することができる。ロッド９１を環状部材１０２内に挿入してロッド９１の高さを調整した後にボルト１０３を回転することによって、ボルト１０３の先端をロッド９１に押し付ける。ロッド９１は、ボルト１０３の先端と環状部材１０２との間に挟持されることによって、固定されている。
【００５６】
このように構成されるケーブル支持装置９０では、ロッド９１の内部の収容空間が、ケーブル７０を折り畳んでも収容可能な大きさを有している。このことによって、ケーブル７０の長さを、フロートスイッチ６０の位置を調整可能とするために長く設定した場合であっても、ケーブル７０を折り畳んでロッド９１内に収容することによって、ケーブル７０において挿通孔部１０１とモータケーシング２１との間の部分を、その部分が周囲と干渉しない長さに調整することができる。
【００５７】
このため、ケーブル７０において挿通孔部１０１とモータケーシング２１との間の部分が、その周囲に干渉することを防止できる。特に、上記部分がフロートスイッチ６０に接触することを防止できるので、当該接触に起因するフロートスイッチ６０の動作不良の発生を防止することができる。
【００５８】
また、ロッド９１が複数に分割可能な構造であることによって、ロッド９１内にケーブル７０を収容する作業を行いやすくなる。
【００５９】
また、ロッド９１に複数の取り出し孔部９８が形成されている。このため、フロートスイッチ６０の動作不良の発生を抑制できる。この点について、具体的に説明する。例えば、ロッドに対してフロートスイッチの位置を、任意に決定できる場合、例えば、ロッドの任意の位置に固定可能な挟持部材を用いてケーブルを固定する場合では、上下方向に並ぶ一対のフロートスイッチの間の間隔を近づけすぎてしまい、フロートスイッチが互いに接触してしまう場合がる。
【００６０】
しかしながら、取り出し孔部９８の位置が予め決定されることによって、フロートスイッチ６０を近づけすぎるということが生じないので、フロートスイッチ６０が互いの接触の発生が抑制される。
【００６１】
また、取り出し孔部９８が３つ以上形成されるとともに、これら取り出し孔部９８の間の間隔が互いに等間隔であることによって、ロッド９１に対するフロートスイッチ６０の位置を調整しやすくなる。
【００６２】
さらに、固定装置９３によってモータケーシング２１に対するロッド９１の位置を調整できるので、フロートスイッチ６０の位置を自由に決定することができる。
【００６３】
また、取り出し孔部９８の内径がケーブル７０の外径よりも大きいことによって、ケーブル７０は、取り出し孔部９８によって挟みこまれることがない。このため、ケーブル７０内の金属線材７６が断線することを防止できる。この点について、具体的に説明する。
【００６４】
取り出し孔部９８の内径がケーブル７０の外径よりも小さい場合では、ケーブル７０が取り出し孔部９８に挟持されて固定される。この場合、フロートスイッチ６０が水位の変動に合わせて上下動する際にケーブル７０が屈曲すると、ケーブル７０は、取り出し孔部９８の縁部に接触する部分が常に屈曲するようになるとともに、その屈曲カーブが小さくなってしまう。このため、金属線材７６が、金属疲労によって断線する虞がある。
【００６５】
しかしながら、本実施形態では、取り出し孔部９８は、ケーブル７０よりも大きく形成されており、それゆえ、ケーブル７０は取り出し孔部９８内で動くことができる。具体的には、ケーブル７０は、取り出し孔部９８内を上下方向に移動することができる。このため、フロートスイッチ６０の上下動に合わせてケーブル７０が屈曲しようとすると、まず、ケーブル７０が取り出し孔部９８内を上方に移動する。そして、ケーブル７０が取り出し孔部９８の周縁１１０の上端に接触すると、ケーブル７０が屈曲するようになる。このように、フロートスイッチ６０の変動は、まず、取り出し孔部９８内でのケーブル７０の移動によって吸収される。このため、ケーブル７０が屈曲しても、その屈曲カーブが比較的大きくなる。このため、ケーブル７０内の金属線材７６が金属疲労によって切断されることを防止できる。
【００６６】
また、抜け防止部９４が取り出し孔部９８の縁部に接触することによって、ケーブル７０が取り出し孔部９８を通して外部に移動することが防止されるので、ケーブル７０において取り出し孔部９８からフロートスイッチ６０までの長さが必要以上に長くなることを防止できる。このため、ケーブル７０が絡まったり、または、ケーブル７０が他方のフロートスイッチ６０に接触することを防止できる。
【００６７】
また、進入防止部９５が取り出し孔部９８の縁部に接触することによって、ケーブル７０がロッド９１内に入り込むことを防止できる。このため、ケーブル７０においてロッド９１からフロートスイッチ６０までの長さが短くなりすぎることを防止できる。このため、ケーブル７０が短くなることに起因してフロートスイッチ６０がロッド９１に接触することを防止できる。
【００６８】
また、複数の取り出し孔部９８が形成されることによって、フロートスイッチ６０の位置を調整することができる。また、固定装置９３によって、モータケーシング２１に対するロッド９１の位置を調整可能であるので、フロートスイッチ６０の位置を、細かく調整することができる。
【００６９】
なお、本実施形態では、ケーブル７０はその軸線に垂直な断面形状が円であり、取り出し孔部９８の形状は、円である。そして、取り出し孔部９８の内径は、ケーブル７０の外径よりも大きい。このことは、取り出し孔部は、取り出し孔の内周縁とケーブルとの間にケーブル回りに一周連続する隙間を有する大きさを有することの一例である。
【００７０】
なお、本実施形態では、取り出し孔部９８は、複数形成され、さらに複数のうち３つ以上形成される場合の一例として、６つ形成されている。他の例としては、取り出し孔部９８は、１つであってもよい。または、本実施形態のように、複数、３つ以上であってもよい。つまり、取り出し孔部９８は、１つ以上であってもよい。取り出し孔部９８が複数形成されることによって、上述の効果が得られる。また、取り出し孔部９８が３つ以上形成されるとともに取り出し孔部９８間が等間隔であることによって、上述の効果が得られる。
【００７１】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００７２】
１０…水中ポンプ装置、２０…モータ（駆動部）、６０…フロートスイッチ、７０…ケーブル、８０…制御装置（制御部）、９０…ケーブル支持装置、９１…ロッド（収容部）、９３…固定装置、９４…抜け防止部（固定部）、９５…進入防止部（固定部）、９８…取り出し孔部。
【図１】
2015116048.tif 000003
【図２】
2015116048.tif 000004